(57)【要約】【課題】チャネル分離等の受信機のＩＦ処理や復調機能をデジタル信号処理で実現する場合において、ＡＤ変換部数とデジタル信号処理部を簡略化するためのサンプリング装置、サンプリング方法を提供する。【解決手段】複数の無線システムにおけるシステムクロックを重畳したサンプリングクロックによって、複数の無線システムの受信信号を加算した加算信号をサンプリングする。【選択図】  図１
2004364111.tif 000002
【特許請求の範囲】
【請求項１】
複数の無線システムにおけるシステムクロックを重畳したサンプリングクロックを供給するタイミング制御手段と、
前記タイミング制御手段により供給されるサンプリングクロックによって、前記複数の無線システムの受信信号を加算した加算信号をサンプリングするサンプリング手段とを具備することを特徴とするサンプリング装置。
【請求項２】
前記タイミング制御手段は、さらに、
前記複数の無線システムに対して、各無線システムに対応するクロックタイミングで、前記サンプリング手段がサンプリングしたサンプリングデータの入力トリガ信号を出力することを特徴とする請求項１に記載のサンプリング装置。
【請求項３】
前記タイミング制御手段は、さらに、
前記複数の無線システムのうち予め設定された優先システムのクロックタイミングより早く、他の無線システムのシステムクロックが発生した場合、該他の無線システムのシステムクロックを間引いたシステムクロックと、優先システムのシステムクロックとを重畳したサンプリングクロックを供給することを特徴とする請求項１または請求項２に記載のサンプリング装置。
【請求項４】
前記他の無線システムのシステムクロックを間引いた場合、前記クロックタイミングにおけるサンプリングデータを該クロックタイミングの前後におけるサンプリングデータによって補完するデータ補完手段をさらに具備することを特徴とする請求項３に記載のサンプリング装置。
【請求項５】
複数の無線システムにおけるシステムクロックを重畳したサンプリングクロックによって、前記複数の無線システムの受信信号を加算した加算信号をサンプリングすることを特徴とするサンプリング方法。
【請求項６】
前記複数の無線システムに対して、さらに、各無線システムに対応するクロックタイミングで、サンプリングデータの入力トリガ信号を出力することを特徴とする請求項５に記載のサンプリング方法。
【請求項７】
前記複数の無線システムのうち予め設定された優先システムのクロックタイミングより早く、他の無線システムのシステムクロックが発生した場合、
さらに、該他の無線システムのシステムクロックを間引いたシステムクロックと、優先システムのシステムクロックとを重畳したサンプリングクロックによって、前記複数の無線システムの受信信号を加算した加算信号をサンプリングすることを特徴とする請求項５または請求項６に記載のサンプリング方法。
【請求項８】
前記他の無線システムのシステムクロックを間引いた場合、前記複数の無線システムに対して、さらに、前記クロックタイミングにおけるサンプリングデータを該クロックタイミングの前後におけるサンプリングデータによって補完することを特徴とする請求項７に記載のサンプリング方法。
【発明の詳細な説明】
【０００１】
【発明の属する技術分野】
本発明は、デジタル携帯電話などの移動体通信で使用されるサンプリング装置、サンプリング方法に関する。特に複数の無線システムを同時に受信するマルチモード端末のアナログ−デジタル変換部（ＡＤ変換部）のサンプリング方式に関する。
【０００２】
【従来の技術】
従来、デジタル携帯電話端末、ノート型ＰＣ、ＰＤＡ（以下、受信機と呼ぶ）に内臓無線装置またはカードスロット型無線装置を装着し、複数の無線システムから信号を同時に受信することで、ユーザは、音声通話、データ通信に関するサービスを切れ目無く（シームレスに）利用している。
このようなデジタル信号処理を使用した受信機では、各無線システムに対応したサンプリングレート（クロック周波数）で受信信号をＡＤ変換する（特許文献１を参照）。ここで、各無線システムのシステムクロックはそれぞれ異なることから、各無線システムに必要なサンプリング信号もそれぞれ異なる。また、各無線システムのシステムクロックは無線システム間で同期していない場合がある。
このため、複数の無線システムを同時に受信処理するために、ＡＤ変換部を無線システム毎に用意し、ＡＤ変換することが考えられる（特許文献２を参照）。
【０００３】
また、各無線システムの信号をＡＤ変換部の入力前段で周波数軸上に配置し、一つにまとめてからＡＤ変換部に入力し、一番高速なサンプリングレートが必要なシステムのサンプリングレートでＡＤ変換し、その後信号処理で各システムに必要なサンプリングレートに変換することが考えられる。
これを図  を用いて説明すると、各無線システムＡ〜Ｃ（図  のＳｙｓｔｅｍＡ〜Ｃ）のＲＦ／ＩＦ変換部（ＲＦ→ＩＦ）  の出力信号（受信信号）を加算した加算信号がＡＤ変換部  （Ｓａｍｐｌｅｒ（ＡＤ  Ｃｏｎｖｅｒｔｅｒ））に入力される。
入力された加算信号は、各無線システムＡ〜Ｃのシステムクロックに基づいて予め設定される固定のサンプリングクロックでサンプリングされる。例えば、無線システムＡのシステムクッロク周波数が最も高いとすると、入力された加算信号は、無線システムＡのシステムクロックに基づいてサンプリングされる。
【０００４】
サンプリングされたデジタル信号は、必要なデジタルフィルタ（Ｄｉｇｉｔａｌ  Ｆｉｌｔｅｒ）処理がされた後、各無線システムのＩＦ部（Ｄｉｇｉｔａｌ
ＩＦ  ｏｒ  Ｔｉｍｉｎｇ  Ｓｙｎｃ）に入力される。
このとき、無線システムＡに関しては、既にＡＤ変換部においてシステムクロックとデジタル信号とが同期されているため、デシメータ（Ｄｅｃｉｍａｔｏｒ）によってダウンサンプリングされてＩＦ部に入力される。
一方、無線システムＢ、Ｃに関しては、ＡＤ変換部においてシステムクロックとサンプリングされたデジタル信号とが同期されていないため、ＩＦ部の前段において、サンプリングレート変換器（Ｓａｍｐｌｉｎｇ  Ｒａｔｅ  ｃｏｎｖｅｒｔｅｒ）によって、無線システムＢ、Ｃのシステムクロックに基づいてサンプリング周波数が変換される。
【０００５】
【非特許文献１】
「Ｓａｍｐｌｅ  Ｒａｔｅ  Ｃｏｎｖｅｒｓｉｏｎ  ｆｏｒ  Ｓｏｆｔｗａｒｅ  Ｒａｄｉｏ」，ＩＥＥＥ  Ｃｏｍｍｕｎｉｃａｔｉｏｎ  Ｍａｇａｚｉｎｅ  ２０００年８月，ｐ．１４２−１５０
【非特許文献２】
荒木  純道，「ソフトウェア無線の基礎と応用」，平成１４年１０月３１日，サイベックス株式会社ナレッジサービス事業部門，ｐ．１６６−１７７
【０００６】
【発明が解決しようとする課題】
しかし、前者の場合、ＡＤ変換部が複数個必要になり消費電力、部品スペースが大きくなるという問題点がある。
また、後者の場合、ＡＤ変換部は１つで済むが、無線システム毎にサンプリングレート変換器が必要となる。特にＡＤ変換部のサンプリングレートと無線システムのレート比とが無理数の場合、性能の劣化やそれを補償する処理が必要となるという問題点がある。
また、サンプリングタイミングと無線システムのシンボル同期をとる場合には、各システムそれぞれ、サンプルタイミングでのデータ求める為の処理等が必要になる。このため、高速で複雑な信号処理回路が必要になり消費電力が増大するという問題点がある。
【０００７】
本発明は、このような事情を考慮してなされたものであり、その目的は、チャネル分離等の受信機のＩＦ処理や復調機能をデジタル信号処理で実現する場合において、ＡＤ変換部数とデジタル信号処理部を簡略化するためのサンプリング装置、サンプリング方法を提供することにある。
【０００８】
【課題を解決するための手段】
この発明は上記の課題を解決すべくなされたもので、請求項１に記載の発明は、複数の無線システムにおけるシステムクロックを重畳したサンプリングクロックを供給するタイミング制御手段と、前記タイミング制御手段により供給されるサンプリングクロックによって、前記複数の無線システムの受信信号を加算した加算信号をサンプリングするサンプリング手段とを具備することを特徴とする。
【０００９】
また、請求項２に記載の発明は、請求項１に記載の発明において、前記タイミング制御手段は、さらに、前記複数の無線システムに対して、各無線システムに対応するクロックタイミングで、前記サンプリング手段がサンプリングしたサンプリングデータの入力トリガ信号を出力することを特徴とする。
【００１０】
また、請求項３に記載の発明は、請求項１または請求項２に記載の発明において、前記タイミング制御手段は、さらに、前記複数の無線システムのうち予め設定された優先システムのクロックタイミングより早く、他の無線システムのシステムクロックが発生した場合、該他の無線システムのシステムクロックを間引いたシステムクロックと、優先システムのシステムクロックとを重畳したサンプリングクロックを供給することを特徴とする。
【００１１】
また、請求項４に記載の発明は、請求項３に記載の発明において、前記他の無線システムのシステムクロックを間引いた場合、前記クロックタイミングにおけるサンプリングデータを該クロックタイミングの前後におけるサンプリングデータによって補完するデータ補完手段をさらに具備することを特徴とする。
【００１２】
また、請求項５に記載の発明は、複数の無線システムにおけるシステムクロックを重畳したサンプリングクロックによって、前記複数の無線システムの受信信号を加算した加算信号をサンプリングすることを特徴とする。
【００１３】
また、請求項６に記載の発明は、請求項５に記載の発明において、前記複数の無線システムに対して、さらに、各無線システムに対応するクロックタイミングで、サンプリングデータの入力トリガ信号を出力することを特徴とする。
【００１４】
また、請求項７に記載の発明は、請求項５または請求項６に記載の発明において、前記複数の無線システムのうち予め設定された優先システムのクロックタイミングより早く、他の無線システムのシステムクロックが発生した場合、さらに、該他の無線システムのシステムクロックを間引いたシステムクロックと、優先システムのシステムクロックとを重畳したサンプリングクロックによって、前記複数の無線システムの受信信号を加算した加算信号をサンプリングすることを特徴とする。
【００１５】
また、請求項８に記載の発明は、請求項７に記載の発明において、前記他の無線システムのシステムクロックを間引いた場合、前記複数の無線システムに対して、さらに、前記クロックタイミングにおけるサンプリングデータを該クロックタイミングの前後におけるサンプリングデータによって補完することを特徴とする。
【００１６】
【発明の実施の形態】
以下、図面を参照して、本発明のサンプリング装置の一実施形態について説明する。本実施形態のサンプリング装置は、複数の無線システムの信号をＡＤ変換部の入力前段で周波数軸上に配置し、一つにまとめてＡＤ変換部に入力する方式を用いる。図１は、本実施形態のサンプリング装置を適用した無線受信機の構成を示す構成図である。
本実施形態の無線受信機は、複数の無線システムＡ、ＢのＲＦ／ＩＦ変換部回路１００−Ａ、Ｂと、ＩＦ回路（復調器）１０１−Ａ、Ｂと、サンプリング装置１０２とから構成される。
ＲＦ／ＩＦ変換部回路１００−Ａ、Ｂは、それぞれ低雑音増幅、ＡＧＣ増幅、帯域制限等の処理を行い、ＲＦ信号（受信信号）をＩＦ信号に変換する。ＲＦ／ＩＦ変換部回路１００−Ａ、Ｂが出力する２つのＩＦ信号は、加算器１０３において加算されて、１つのＩＦ信号（加算信号）として、サンプリング装置１０２に入力される。
ＩＦ回路（復調器）１０１−Ａ、Ｂは、サンプリング装置１０２においてＡＤ変換されるＩＦ信号の入力を受けて、復調（Ｄｅｍｏｄｕｌａｔｏｒ）し、上位レイヤ（通信制御部  図示せず）に出力する。
【００１７】
サンプリング装置１０２は、加算器１０３から入力される加算信号をＡＤ変換する。具体的には、サンプリング装置１０２は、ＡＤ変換部（Ｓａｍｐｌｅｒ：サンプリング部）１１０と、タイミング制御部（Ａ，Ｂ  Ｔｉｍｉｎｇ  Ｍａｎａｇｅｍｅｎｔ）１１１と、デジタル信号処理部１１２−Ａ、Ｂとから構成される。
ＡＤ変換部１１０は、タイミング制御部１１１により供給されるサンプリングクロック（Ｓａｍｐｌｉｎｇ  Ｃｌｏｃｋ（Ａ＋Ｂ））によって、複数の無線システムＡ、Ｂの受信信号（ＲＦ信号）を加算した加算信号（ＩＦ信号）をサンプリングする。
【００１８】
タイミング制御部１１１は、クロック発生器１２０−Ａ、Ｂより複数の無線システムＡ、Ｂにおけるシステムクロックの入力を受けて、この複数の無線システムＡ、Ｂにおけるシステムクロックを重畳したサンプリングクロックを供給する。
また、タイミング制御部１１１は、複数の無線システムＡ、Ｂに対して、各無線システムに対応するクロックタイミングで、ＡＤ変換部１１０がサンプリングしたサンプリングデータの入力トリガ信号（Ｔｉｍｉｎｇ  ｔｒｉｇ．）をデジタル信号処理部１１２−Ａ、Ｂに出力する。
また、タイミング制御部１１１は、上位レイヤ（通信制御部）より、複数の無線システムＡ、Ｂについての優先順位がセットされる。この優先システム選択信号（Ｓｙｓｔｅｍ  Ｐｒｉｏｒｉｔｙ  ｓｅｔ（Ａ  ｏｒ  Ｂ））に基づいて、タイミング制御部１１１は、複数の無線システムのうち予め設定された優先システムのクロックタイミングより早く、他の無線システムのシステムクロックが発生した場合、他の無線システムのシステムクロックを間引いたシステムクロックと、優先システムのシステムクロックとを重畳したサンプリングクロックを供給する（後述する）。
クロック発生部１２０−Ａ、Ｂは、上位レイヤ（通信制御部）のタイミング制御（ＳｙｓｔｅｍＡ、Ｂ  ｔｉｍｉｎｇ  ａｄｊｕｓｔｍｅｎｔ）信号に基づいて、タイミング制御部１１１に対してクロックを供給する。
【００１９】
デジタル信号処理部１１２−Ａ、Ｂは、データ挿入部（Ｄａｔａ  Ｉｎｓｅｒｔｉｏｎ）１２１−Ａ、Ｂと、デジタルフィルタ処理部１２２−Ａ、Ｂと、デシメータ１２３−Ａ、Ｂとから構成される。
データ挿入部１２１−Ａ、Ｂは、タイミング制御部１１１が優先無線システム以外の他の無線システムのシステムクロックを間引いた場合、タイミング制御部１１１から入力される補完トリガ信号に基づいて、間引いたクロックタイミングにおけるサンプリングデータをクロックタイミングの前後におけるサンプリングデータを利用して算出した後、補完する（後述する）。
デジタルフィルタ処理部１２２−Ａ、Ｂは、必要な受信フィルタ処理を行う。デシメータ１２３−Ａ、Ｂは、必要なデシメーション処理を行う（後述する）。
【００２０】
次に、図面を参照して、本実施形態のサンプリング装置を適用した無線受信機の動作について説明する。図２は、本実施形態のタイミング制御部１１１におけるクロックタイミングの生成過程を示すタイムチャートである。
今、ＲＦ／ＩＦ変換部回路１００−Ａ、Ｂが出力する２つのＩＦ信号が加算器１０３において加算されて、１つのＩＦ信号（加算信号）として、サンプリング装置１０２に入力されると、ＡＤ変換部１１０において、各無線システムＡ、Ｂに対応したタイミングの複数のシステムクロックを重畳したサンプリングクロックを供給して、不均一なタイミングでサンプリング処理を実施する。
【００２１】
このとき、タイミング制御部１１１は、１つの無線システム（例えば無線システムＡ）のクロックを優先したタイミングに調整してサンプリングクロックを供給する。具体的には、優先システム（無線システムＡ）のクロックタイミングより他の無線システム（無線システムＢ）のクロックが先に発生した場合、そのクロックの発生させない、つまり、サンプリング処理を一時省略する。
【００２２】
これを図２を用いて説明する。図２において、各システムに対応したクロック波形のパルス幅ｔはＡＤ変換部１１０の最高動作速度と同じとなるように設定される。
タイミング制御部１１１は、まずセットされた優先順位に基づいて、優先システム（無線システムＡ）のクロックタイミングより早く、他の無線システム（無線システムＢ）のシステムクロックが発生したことを検出する。
すなわち、図２の無線システムＡのシステムクロックパルス（Ｓｙｓｔｅｍ  Ａ  Ｃｌｏｃｋ）の一部が無線システムＢのシステムクロックパルス（Ｓｙｓｔｅｍ  Ｂ  Ｃｌｏｃｋ）と重複している場合、立ち上がりエッジＸ部（無線システムＡのシステムクロックパルス）が立ち上がりエッジＹ部（無線システムＢのシステムクロックパルス）より遅れていることを検出すると、サンプリング処理を一時省略するクロックタイミングを示すトリガ信号（立ち上がりエッジＰ部から立ち下がりエッジＰ´部  ただし、立ち上がりエッジＰ部と立ち下がりエッジＹ´部との時刻が対応し、立ち下がりエッジＰ´部と立ち上がりエッジＸ´部との時刻が対応する）を生成する。
【００２３】
そして、タイミング制御部１１１は、他の無線システム（無線システムＢ）のシステムクロックを間引いたシステムクロックと、優先システム（無線システムＡ）のシステムクロックとを重畳したサンプリングクロックを生成する。
具体的には、無線システムＡ、Ｂのシステムクロックをそれぞれ１パルス分だけ遅延させた遅延クロック信号（Ａ−Ｔ  Ｃｌｏｃｋ、Ｂ−Ｔ  Ｃｌｏｃｋ）を生成し、無線システムＡの遅延クロック信号と無線システムＢの遅延クロック信号とを加算する。そして、この加算信号からトリガ信号を減算した信号を生成し、これをサンプリングクロックとする。タイミング制御部１１１はこのサンプリングクロックをＡＤ変換部１１０に供給し、ＡＤ変換部１１０において、不均一なタイミングでサンプリング処理を実施する。
【００２４】
また、タイミング制御部１１１は、複数の無線システムＡ、Ｂのデータ挿入部１２１−Ａ、Ｂに対して、各無線システムに対応するクロックタイミングで、ＡＤ変換部１１０がサンプリングしたサンプリングデータの入力トリガ信号（Ｔｉｍｉｎｇ  ｔｒｉｇ．）を出力する。また、タイミング制御部１１１が優先無線システム以外の無線システムのシステムクロックを間引いた場合、タイミング制御部１１１から入力される補完トリガ信号に基づいて、間引いたクロックタイミングにおけるサンプリングデータをクロックタイミングの前後におけるサンプリングデータを利用して算出した後、補完する。
【００２５】
図３、４は、データ挿入部１２１−Ａ、Ｂの一実施形態を示す構成図である。図３に示すように、データ挿入部１２１−Ａ、Ｂは、入力されるサンプリングデータの補完トリガ信号がデータ選択器１４０（Ｓｅｌｅｃｔｏｒ）に入力されると、１サンプリング周期前のクロックタイミングにおけるサンプリングデータと、２サンプリング周期前のクロックタイミングにおけるサンプリングデータを２倍したサンプリングデータとを加算した加算値を補完値として選択する。
あるいは、図４に示すように、データ挿入部１２１−Ａ、Ｂは、入力されるサンプリングデータの補完トリガ信号が１サンプリング周期だけ遅延された後、データ選択器１４０に入力されると、１サンプリング周期前のクロックタイミングにおけるサンプリングデータと、１サンプリング周期後のクロックタイミングにおけるサンプリングデータをとを加算して、１／２倍したサンプリングデータを補完値として選択する。
【００２６】
そして、デジタル信号処理部１１２−Ａ、Ｂにおいて、不均一なタイミングでサンプリングされたデジタル信号を各無線システムＡ、Ｂとそれぞれ同期したタイミング（各システムに対応したクロックタイミング）で取り出してデジタル信号処理を行う。なお、これらの処理は優先するシステムを任意に切替えて、無線システム間のハンドオーバー等を行う使用形態に対応する。
デジタル信号処理部１１２−Ａ、ＢよりＡＤ変換後のＩＦ信号の入力を受けると、ＩＦ回路（復調器）１０１−Ａ、Ｂは、これを復調した後、上位レイヤに出力する。
【００２７】
したがって、本実施形態の本実施形態のサンプリング装置によれば、サンプリングレート変換器２３０−Ｂ、Ｃなどの信号処理部を用いず、１つのＡＤ変換部１１０で複数の無線システムの受信を可能にするとともに、小型、省電力な無線端末を実現することができる効果が得られる。
また、本実施形態の本実施形態のサンプリング装置によれば、無線システムＡ、Ｂそれぞれに必要な信号列だけ処理することができる効果が得られる。
また、ＡＤ変換部１１０の動作可能速度を超えるクロックタイミングの発生を防止することができるとともに、システムクロックの重畳により動作可能速度を超えるクロックタイミングが発生した場合においてもサンプリング性能の劣化を防止することができる効果が得られる。
また、サンプリングデータの補完により、優先しない無線システムの性能劣化を極力少なくすることができる効果が得られる。
【００２８】
また、本実施形態の本実施形態のサンプリング装置においては、特に受信信号周波数とサンプリング周波数との関係については言及しなかったが、例えば、サンプリング周波数を決定する際、ＡＤ変換部に入力する信号がＩＦ帯の場合、図５に示すように信号周波数とサンプリング周波数を１／（４×整数）の関係に選ぶようにしてもよい。
具体的には、図５に示すように、受信しようとする無線システムが２つの場合で、入力される信号がそれぞれＩＦ信号帯の場合、ＩＦ周波数がそれぞれ、３．８４ＭＨｚ（無線システムＢ  ＷＣＤＭＡ），２０ＭＨｚ（無線システムＡ  ＷＬＡＮ）であれば、サンプリング周波数を６１．４４ＭＨｚ（無線システムＢ），８０ＭＨｚ（無線システムＡ）に選ぶことで、信号周波数とサンプリング周波数を１／（４×整数）の関係に設定する。
【００２９】
ＡＤ変換部１１０において、入力されたＩＦ信号を、各無線システムＡ、Ｂに対応した２つのシステムクロックが重畳したサンプリングクロックによってサンプリングし、デジタル信号化する。
データ挿入部１２１−Ａ、Ｂと、ＢＰＦ／ＬＰＦ１２２−Ａ、Ｂ（デジタルフィルタ処理部１２１−Ａ、Ｂに対応する）と、デジタルダウンコンバータ部・ＩＱ検波処理部（ＤＤＣ・ＩＱＤＥＴ）１２４−Ａ、Ｂとから構成されるデジタル信号処理部１１２−Ａ、Ｂは、各無線システムのシステムクロックに同期した信号で動作し、ＢＰＦ／ＬＰＦ１２２−Ａ、Ｂにおいて、２つの無線システムＡ、Ｂそれぞれでデジタルフィルタ処理を行うとともに、デジタルダウンコンバータ部１２４−Ａ、Ｂにおいて、周波数変化処理を行う。そして、ＩＱ検波処理部１２４−Ａ、Ｂにおいて、ＩＱ検波処理を行いベースバンド信号に変換し、更にデシメーション処理、受信フィルタ処理後、出力する。
【００３０】
一方、各サンプリングクロックのタイミングは、各システムのシンボルに対して同期をとるため、温度補償形水晶発振器（ＴＣＸＯ：ＴｅｍｐｅｒａｔｕｒｅＣｏｍｐｅｎｓａｔｅｄ  Ｃｒｙｓｔａｌ  Ｏｓｃｉｌｌａｔｏｒ）やＤＤＳ（Ｄｉｒｅｃｔ  Ｄｉｇｉｔａｌ  Ｓｙｎｔｈｅｓｉｚｅｒ）等と、復調部とからの情報（Ｓｙｓｔｅｍ  Ａ（ＷＬＡＮ）、Ｓｙｓｔｅｍ  Ｂ（ＷＣＤＭＡ）、
ｔｉｍｉｎｇ  ａｄｊｕｓｔｍｅｎｔ）によりタイミングを調整する。
このとき、クロック発生部１２０−Ａ、Ｂは、２つそれぞれのクロック幅がＡＤ変換部１１０の最高動作周波数クロックとそのクロック幅の時間ｔだけ遅れたタイミングのクロックを発生し、タイミング制御部１１１は、クロック発生部１２０−Ａ、Ｂにおいて独立にタイミングを調整された信号により構成された信号のサンプリングクロックを生成する。
【００３１】
そして、タイミング制御部１１１は、優先システム選択信号により選択された無線システムのクロックタイミングより、早い時刻に他の無線システムのシステムクロックが発生し、そのシステムクロックが‘０’に戻る前に優先無線システムのシステムクロックが発生した場合、補完トリガ信号をデータ挿入部１２１−Ａ、Ｂに出力する。この補完トリガ信号により、データ挿入部１２１−Ａ、Ｂは、サンプリングデータが存在しないクロックタイミングに前後のデータから求めたサンプリングデータを挿入する。
このように構成することで、ＡＤ変換部後段の周波数変換、ＩＱ検波処理を簡略化できる効果が得られる。
【００３２】
また、本実施形態の本実施形態のサンプリング装置を適用した受信機として、無線システムが２つの場合の例を示したが、本発明はこれに限られず、図６に示すように、無線システムを３つ以上（無線システムＡ〜Ｃ）とすること、入力信号をそれぞれベースバンド帯のＩＱ信号とＩＦ信号帯２信号とすることも本発明に含まれるものである。
図６に示す受信機構成の場合、１つの無線システムＡから出力されるベースバンドＩ信号とＱ信号（ＢＢ  ＩＱ）とが、それぞれ無線システムＢ（ＷＣＤＭＡ）、無線システムＣ（ＮＣＤＭＡ）から出力されるＩＦ信号とともに、２つのＡＤ変換部１０３−１、２にそれぞれ入力される。
【００３３】
すなわち、無線システムＡのＲＦ／ＢＢ  ＩＱ変換部１００−Ａより出力されるＩ信号と、無線システムＢのＲＦ／ＩＦ変換部１００−Ｂより出力されるＩＦ信号とが加算器１０３−１で加算された後、ＡＤ変換器１１０−１に入力される。
また、無線システムＡのＲＦ／ＢＢ  ＩＱ変換部１００−Ａより出力されるＱ信号と、無線システムＣのＲＦ／ＩＦ変換部１００−Ｃより出力されるＩＦ信号とが加算器１０３−２で加算された後、ＡＤ変換器１１０−２に入力される。
加算器１０３−１、２より出力される加算信号は、ＡＤ変換部１１０−１、２に入力されて、タイミング制御部１１１が供給するサンプリングクロック（Ｓａｍｐｌｉｎｇ  Ｃｌｏｃｋ  Ａ＋Ｂ、Ａ＋Ｃ）によって不均一サンプリング処理が行われる。
【００３４】
タイミング制御部１１１は、クロック発生部１２０−Ａ〜Ｃより入力される無線システムＡ〜Ｃのシステムクロックに基づいて、ＡＤ変換部１０３−１、２にサンプリングクロックを供給する。サンプリングデータは、デジタル信号処理部１１２−ＡＩ、ＡＱ（Ｉ信号、Ｑ信号に対応する）、Ｂ、Ｃに入力される。
また、タイミング制御部１１１は、補完トリガ信号（Ｔｒｉｇ．Ａ〜Ｃ）をデジタル信号処理部１１２−ＡＩ、ＡＱ、Ｂ、Ｃのデータ挿入部１２１−ＡＩ、ＡＱ、Ｂ、Ｃに対して出力する。
データ挿入部１２１−ＡＩ、ＡＱ、Ｂ、Ｃは、補完トリガ信号の入力があった場合、上述したように、前後のサンプリングデータに基づいて算出したサンプリングデータでデータ補完する。
そして、デジタル信号処理部１１２−ＡＩ、ＡＱ、Ｂ、Ｃにおいて、必要なフィルタ処理、デシメーション処理、周波数変換、ＩＱ検波処理が行われ、各無線システムＡ〜ＣのＩＦ部に出力される。
【００３５】
このように構成することで、無線システムが３つ以上の受信機においても、サンプリングレート変換器２３０−Ｂ、Ｃなどの信号処理部を用いず、少ないＡＤ変換部１１０−１、２で複数の無線システムの受信を可能にするとともに、小型、省電力な無線端末を実現することができる効果が得られる。
また、本実施形態の本実施形態のサンプリング装置によれば、無線システムＡ、Ｂそれぞれに必要な信号列だけ処理することができる効果が得られる。
また、ＡＤ変換部１１０―１、２の動作可能速度を超えるクロックタイミングの発生を防止することができるとともに、システムクロックの重畳により動作可能速度を超えるクロックタイミングが発生した場合においてもサンプリング性能の劣化を防止することができる効果が得られる。
また、サンプリングデータの補完により、優先しない無線システムの性能劣化を極力少なくすることができる効果が得られる。
【００３６】
【発明の効果】
以上説明したように、本発明は、複数の無線システムにおけるシステムクロックを重畳したサンプリングクロックによって、複数の無線システムの受信信号を加算した加算信号をサンプリングするので、チャネル分離等の受信機のＩＦ処理や復調機能をデジタル信号処理で実現する場合において、ＡＤ変換部数とデジタル信号処理部を簡略化することができる効果が得られる。
【図面の簡単な説明】
【図１】無線システムが２つの場合の無線受信機の構成図。
【図２】タイミング制御部におけるクロックタイミングの生成過程を示すタイムチャート。
【図３】データ挿入部の構成図。
【図４】データ挿入部の構成図。
【図５】無線システムが２つの場合の無線受信機の構成図。
【図６】無線システムが３つの場合の無線受信機の構成図。
【図７】従来のサンプリング装置を適用した無線受信機の構成図。
【符号の説明】
１００−Ａ〜Ｃ、２００−Ａ〜Ｃ…ＲＦ／ＩＦ変換部
１０１−Ａ〜Ｂ、２０１−Ａ〜Ｃ…ＩＦ部
１０２、２０２…サンプリング装置
１０３−１，２、２０３…加算器
１１０、１１０−１、２、２１０…ＡＤ変換部
１１１…タイミング制御部
１１２−Ａ（ＡＩ、ＡＱ）〜Ｃ…デジタル信号処理部
１２０−Ａ〜Ｃ、２１１…クロック発生器
１２１−Ａ（ＡＩ、ＡＱ）〜Ｃ…データ挿入部
１２２−Ａ（ＡＩ、ＡＱ）〜Ｃ、２２２−Ａ〜Ｃ…デジタルフィルタ処理部（ＢＰＦ、ＬＰＦ）
１２３−Ａ（ＡＩ、ＡＱ）〜Ｃ、２２３−Ａ…デシメータ
１２５−Ａ（ＡＩ、ＡＱ）〜Ｃ…受信フィルタ
１４０…選択器
２３０−Ｂ，Ｃ…サンプリングレート変換器
【図１】
2004364111.tif 000003
【図２】
2004364111.tif 000004
【図３】
2004364111.tif 000005
【図４】
2004364111.tif 000006
【図５】
2004364111.tif 000007
【図６】
2004364111.tif 000008
【図７】
2004364111.tif 000009